(57)【要約】【課題】複数のスイッチを含む誘導加熱調理器において、誘導加熱調理器の機能の一部しか必要としない使用者にとっても使い勝手の良い誘導加熱調理器を提供こと。【解決手段】本発明の誘導加熱調理器は、誘導加熱調理器の全ての機能が使用可能な通常モードと、一部の機能のみが使用可能な簡易モードとを、簡易モードに不要なスイッチを覆い隠すことで切り替えるカバーを有し、簡易モードに不要なスイッチをカバーで覆い隠すだけで、通常モードと簡易モードとを切り替えることとなる。【選択図】図１
2009231037.tif 000002
【特許請求の範囲】
【請求項１】
調理物を加熱する調理容器を載置するトッププレートと、前記調理容器を加熱する誘導磁界を発生させる加熱コイルと、各々所定の機能が割り当てられた複数のスイッチを有する操作手段と、前記操作手段が受け付けた操作に基づいて前記加熱コイルに印加する高周波電流を制御して前記調理容器の加熱を行う制御手段と、誘導加熱調理器の全ての機能が使用可能な通常モードと、一部の機能のみが使用可能な簡易モードとを、簡易モードに不要なスイッチを覆い隠すことで切り替えるカバーとを有する誘導加熱調理器。
【請求項２】
調理物を加熱する調理容器を載置するトッププレートと、前記調理容器を加熱する誘導磁界を発生させる加熱コイルと、各々所定の機能が割り当てられた複数のスイッチを有する操作手段と、前記操作手段が受け付けた操作に基づいて前記加熱コイルに印加する高周波電流を制御して前記調理容器の加熱を行う制御手段と、誘導加熱調理器の全ての機能が使用可能な通常モードと、一部の機能のみが使用可能な簡易モードとを切り替える切り替え手段と、簡易モードで不要なスイッチを覆い隠すカバーとを備え、前記切り替え手段が簡易モードを選択した場合には、前記カバーで簡易モードに不要なスイッチを覆い隠すことを特徴とする誘導加熱調理器。
【請求項３】
前記簡易モードで使用可能な所定スイッチは、調理の開始及び終了の指示のためのスイッチと、加熱用の火力調節のためのスイッチとを含む請求項１または２に記載の誘導加熱調理器。
【請求項４】
前記簡易モードで使用可能な所定スイッチは、調理の開始及び終了の指示のためのスイッチと、加熱用の設定及び揚げ物用の設定の切り換えのためのスイッチと、加熱用の火力調節及び揚げ物用の温度調節のためのスイッチとを含む請求項１または２に記載の誘導加熱調理器。
【請求項５】
前記カバーの厚みを５ｍｍ以下とする請求項１から４のいずれか１項に記載の誘導加熱調理器。
【発明の詳細な説明】
【技術分野】
【０００１】
本発明は、調理容器を誘導加熱する誘導加熱調理器に関する。特に、複数の操作スイッチを備えて、加熱調理を制御する誘導加熱調理器に関するものである。
【背景技術】
【０００２】
鍋などの調理容器を加熱コイルにより誘導加熱する誘導加熱調理器が広く普及している。従来、この種の誘導加熱調理器は、調理の開始及び終了や火力の上げ下げなど、加熱調理を制御するための機能を備えている。
【０００３】
近年、加熱調理を制御するための機能の数が増加してきている。例えば、調理時間を設定するタイマー機能や、湯沸しや炊飯などを自動で調理する自動調理機能などの機能が、新たに誘導加熱調理器に設けられてきている。これらの各機能は、トッププレートに設けられたスイッチにそれぞれ割り当てられており、機能の数の増加に伴い、スイッチの数も増加している（例えば、特許文献１の図４参照）。
【特許文献１】特開２００３−３２３９６９号公報
【発明の開示】
【発明が解決しようとする課題】
【０００４】
しかしながら、トッププレートに設けられるスイッチの数が増大すると、ユーザは使用したいスイッチをすぐに見つけることが困難になる。また、使用したいスイッチと異なるスイッチを誤って押下してしまう可能性もある。このような誤った操作は、調理性能の低下を招く。このように、スイッチの増加に伴って、操作性が悪化し、また、誤操作により調理性能が低下するという課題を有していた。このような課題は、特に、多くの機能を必要としない又は十分に使いこなせないユーザにとって、重大である。
【０００５】
本発明は、前記従来の課題を解決するもので、誘導加熱調理器の機能の一部しか必要としない使用者にとっても使い勝手の良い誘導加熱調理器を提供することを目的とする。
【課題を解決するための手段】
【０００６】
前記従来の課題を解決するために、本発明の誘導加熱調理器は、調理物を加熱する調理容器を載置するトッププレートと、前記調理容器を加熱する誘導磁界を発生させる加熱コイルと、各々所定の機能が割り当てられた複数のスイッチを有する操作手段と、前記操作手段が受け付けた操作に基づいて前記加熱コイルに印加する高周波電流を制御して前記調理容器の加熱を行う制御手段と、誘導加熱調理器の全ての機能が使用可能な通常モードと、一部の機能のみが使用可能な簡易モードとを、簡易モードに不要なスイッチを覆い隠すことで切り替えるカバーとを有する構成としたものである。
【０００７】
これによって、本発明の誘導加熱調理器は、簡易モードに不要なスイッチを覆い隠すだけで、通常モードと簡易モードとを切り替えることができる。簡易モードにおいて、一部のスイッチのみを使用可能にすることで、ユーザの誤操作を防止できる。よって、複数のスイッチを含む誘導加熱調理器において、誘導加熱調理器の機能の一部しか必要としない使用者にとっても使い勝手が良くなるという効果が得られる。
【発明の効果】
【０００８】
本発明の誘導加熱調理器は、簡易モードに不要なスイッチをカバーで覆い隠すだけで、通常モードと簡易モードとを切り替えることができる。また、簡易モードにおいて、一部のスイッチのみを使用可能にすることで、ユーザの誤操作を防止できる。よって、複数の
スイッチを含む誘導加熱調理器において、誘導加熱調理器の機能の一部しか必要としない使用者にとっても簡単に使い勝手が良くなるという効果が得られる。
【発明を実施するための最良の形態】
【０００９】
第１の発明の誘導加熱調理器は、調理物を加熱する調理容器を載置するトッププレートと、前記調理容器を加熱する誘導磁界を発生させる加熱コイルと、各々所定の機能が割り当てられた複数のスイッチを有する操作手段と、前記操作手段が受け付けた操作に基づいて前記加熱コイルに印加する高周波電流を制御して前記調理容器の加熱を行う制御手段と、誘導加熱調理器の全ての機能が使用可能な通常モードと、一部の機能のみが使用可能な簡易モードとを、簡易モードに不要なスイッチを覆い隠すことで切り替えるカバーとを備えた構成している。
【００１０】
これによって本発明の誘導加熱調理器は、簡易モードに不要なスイッチをカバーで覆い隠すだけで、通常モードと簡易モードとを切り替えることができる。また、簡易モードにおいて、一部のスイッチのみを使用可能にすることで、ユーザの誤操作を防止できる。よって、複数のスイッチを含む誘導加熱調理器において、誘導加熱調理器の機能の一部しか必要としない使用者にとっても簡単に使い勝手が良くなるという効果が得られる。
【００１１】
第２の発明の誘導加熱調理器は、調理物を加熱する調理容器を載置するトッププレートと、前記調理容器を加熱する誘導磁界を発生させる加熱コイルと、各々所定の機能が割り当てられた複数のスイッチを有する操作手段と、前記操作手段が受け付けた操作に基づいて前記加熱コイルに印加する高周波電流を制御して前記調理容器の加熱を行う制御手段と、誘導加熱調理器の全ての機能が使用可能な通常モードと、一部の機能のみが使用可能な簡易モードとを切り替える切り替え手段と、簡易モードで不要なスイッチを覆い隠すカバーとを備え、前記切り替え手段が簡易モードを選択した場合には、前記カバーで簡易モードに不要なスイッチを覆い隠すことを特徴とする構成している。
【００１２】
これによって、切り替え手段によって、確実に通常モードと簡易モードとを切り替えることができ、ユーザの誤操作を防止できる。また、カバーにより簡易モードで不要なスイッチを覆い隠すことにより、誘導加熱調理器の機能の一部しか必要としない使用者にとっても使い勝手が良くなるという効果が得られる。
【００１３】
第３の発明の誘導加熱調理器は、特に第１から２の発明において、前記簡易モードで使用可能な所定スイッチは、調理の開始及び終了の指示のためのスイッチと、加熱用の火力調節のためのスイッチとを含むよう構成している。
【００１４】
これによって本発明の誘導加熱調理器は、簡易モードにおいて、調理器として最低限の機能のみを使用可能にすることで、ユーザの誤操作を防止できる。よって、複数のスイッチを含む誘導加熱調理器において、誘導加熱調理器の機能の一部しか必要としない使用者にとっても使い勝手が良くなるという効果が得られる。
【００１５】
第４の発明の誘導加熱調理器は、特に第１から２の発明において、前記簡易モードで使用可能な所定スイッチは、調理の開始及び終了の指示のためのスイッチと、加熱用の設定及び揚げ物用の設定の切り換えのためのスイッチと、加熱用の火力調節及び揚げ物用の温度調節のためのスイッチとを含むよう構成している。
【００１６】
これによって本発明の誘導加熱調理器は、簡易モードにおいて、調理器として最低限の機能に加え、ユーザの誤操作による発火の可能性の高い揚げ物調理の機能のみを使用可能にすることで、ユーザの誤操作を防止しかつ安全性を向上させることができる。よって、複数のスイッチを含む誘導加熱調理器において、誘導加熱調理器の機能の一部しか必要と
しない使用者にとっても使い勝手が良くなるという効果が得られる。
【００１７】
第５の発明の誘導加熱調理器は、特に第１から４の発明において、前記カバーの厚みを５ｍｍ以下に構成している。
【００１８】
これによって本発明の誘導加熱調理器は、前記カバーで覆っても、ユーザが使用可能なスイッチを押下する際、前記カバーが邪魔にならず押下する事が可能となり、使い勝手が良くなるという効果が得られる。
【００１９】
以下、本発明の実施の形態について、図面を参照しながら説明する。なお、この実施の形態によって本発明が限定されるものではない。
【００２０】
（実施の形態１）
図１は本発明の第１の実施の形態における誘導加熱調理器の構成図を示すものである。
【００２１】
図１において、誘導加熱調理器は、被加熱物を収納する調理容器１０１と、外郭ケース１０２と、外郭ケース１０２の上部に備えられ調理容器１０１を載置するトッププレート１０３と、調理容器１０１を加熱する誘導磁界を発生させる加熱コイル１０４と、各々所定の機能が割り当てられた複数のスイッチを有する操作手段１０６と、操作手段１０６が受け付けた操作に基づいて加熱コイル１０４に印加する高周波電流を制御して調理容器１０１の加熱を行う制御手段１０５と、誘導加熱調理器の状態を表示する表示手段１０７と、誘導加熱調理器の全ての機能が使用可能な通常モードと、一部の機能のみが使用可能な簡易モードとを、簡易モードに不要な所定のスイッチおよび所定の表示手段１０７を覆い隠すことで切り替えるカバー１０８とで構成している。
【００２２】
ここで、簡易モードは、利用できる機能を一部に制限することにより、使用者（例えば、誘導加熱調理器の操作に不慣れな初心者）の操作性の向上を図ることを目的としたものである。
【００２３】
表示手段１０７の上部にあるトッププレート１０３は透明または半透明で、ユーザは表示手段１０７に表示されている内容を、トッププレート１０３を介して見ることができる。
【００２４】
表示手段１０７は、光を透過しないフィルタ１０９と光源１１０とからなり、フィルタ１０９の一部を文字や記号の形に抜き、光源１１０から光が照射されるとトッププレートを介してユーザが文字や記号を見ることができる。
【００２５】
なお、調理容器１０１にはフライパンを、外郭ケース１０２とカバー１０８には金属ケースを、トッププレート１０３にはガラス板を、制御手段１０５にはマイクロコンピュータを、操作手段１０６にはタクトスイッチを、フィルタ１０９には樹脂板を、光源１１０にはＬＥＤ（Ｌｉｇｈｔ  Ｅｍｉｔｔｉｎｇ  Ｄｉｏｄｅ）を用いる事でこの構成を容易に実現できる。
【００２６】
なお、本実施の形態では、簡易モードに不要な所定のスイッチおよび所定の表示手段１０７を覆い隠すことで切り替える構成としているが、簡易モードに不要な所定のスイッチだけを覆い隠して切り替える構成としてもよい。
【００２７】
図２は本発明の実施の形態１における操作手段１０６と表示手段１０７の上面図である。
【００２８】
操作手段１０６は、調理の開始及び終了を制御する機能が割り当てられた切／入スイッチ１０６ａ、「加熱」「揚げ物」「湯沸し」「炊飯」の調理メニューに適した設定モードに切り換えるメニュー切り替え機能が割り当てられたメニュースイッチ１０６ｂ、火力や温度や時間を上げる機能が割り当てられたプラススイッチ１０６ｃ、火力や温度や時間を下げる機能が割り当てられたマイナススイッチ１０６ｄ、加熱時間を設定するタイマー機能が割り当てられたタイマースイッチ１０６ｅで構成している。
【００２９】
プラススイッチ１０６ｃ、マイナススイッチ１０６ｄは調理メニューの「加熱」が選択されているときは、火力の上げ下げを制御するスイッチとなり、調理メニューの「揚げ物」が選択されているときは、油の温度の上げ下げを調節するスイッチとなり、タイマー機能が動作している時は加熱時間の上げ下げを調節するスイッチとなる。
【００３０】
また「湯沸し」や「炊飯」は、自動で加熱コイル１０４を制御して調理する機能である。
【００３１】
表示手段１０７は「加熱」「揚げ物」「湯沸し」「炊飯」の調理メニューのうち、どのモードに設定されているかを表示するメニュー表示部１０７ａと、調理メニューの「加熱」が選択されているときに、設定されている火力を表示する火力表示部１０７ｂと、タイマー機能が動作している時に残りの加熱時間を表示するタイマー表示部１０７ｃで構成している。
【００３２】
また表示手段１０７は複数のＬＥＤを有し、文字や記号をそれぞれ照射し、照射・非照射を切り替えることで文字や記号の表示・非表示をそれぞれ切り替える。
【００３３】
また、図２は表示手段１０７が表示できるすべての文字や記号を表示している時を示しており、実際は誘導加熱調理器の状態に応じて文字や記号の表示・非表示をそれぞれ切り替える。
【００３４】
通常モードでは、上記操作手段１０６および表示手段１０７の全ての機能を使用可能とできる。
【００３５】
図３は本発明の実施の形態１におけるカバー１０８の上面図である。
【００３６】
カバー１０８は、簡易モードで使用可能な火力表示部１０７ｂ、切／入スイッチ１０６ａ、プラススイッチ１０６ｃ、マイナススイッチ１０６ｄに対応する部分を抜いて、火力表示表示部１０８ａ、切／入スイッチ表示部１０８ｂ、プラスマイナススイッチ表示部１０８ｃを設け、メニュースイッチ１０６ｂ、タイマースイッチ１０６ｅ、メニュー表示部１０７ａ、タイマー表示部１０７ｃに対応する部分を覆うように構成されている。
【００３７】
図４は本発明の実施の形態１におけるカバー１０８で覆っていない場合を示す図とカバー１０８で覆っている場合を示す図である。
【００３８】
通常モードではすべてのスイッチ１０６ａ〜１０６ｅおよび表示手段１０７を使用可能にすることで誘導加熱調理器のすべての機能を使用可能にし、簡易モードにおいて、調理の開始及び終了の指示のための切／入スイッチ１０６ａと、加熱用の火力調節のためのプラススイッチ１０６ｃとマイナススイッチ１０６ｄと火力表示部１０７ｂのみを使用可能にし、メニュー切り替え機能に係わるメニュースイッチ１０６ｂとメニュー表示部１０７ａ、タイマー機能に係わるタイマースイッチ１０６ｅとタイマー表示部１０７ｃをカバー１０８で覆うことで使用不可能にする。これにより調理器として最低限の機能のみを使用可能にする。
【００３９】
カバー１０８は、火力表示表示部１０８ａ、切／入スイッチ表示部１０８ｂ、プラスマイナススイッチ表示部１０８ｃを抜いてあり、これにより操作手段１０６及び表示手段１０７をカバー１０８で覆った場合でも、切／入スイッチ１０６ａは切／入スイッチ表示部１０８ｂで、プラススイッチ１０６ｃとマイナススイッチ１０６ｄはプラスマイナススイッチ表示部１０８ｃで、火力表示部１０７ｂは火力表示表示部１０８ａで操作、表示可能になる。
【００４０】
図５は本発明の実施の形態１における誘導加熱調理器の動作を示すフローチャートである。
【００４１】
まず、ユーザが電源スイッチ（図は省略）を用いて誘導加熱調理器の起動操作を行い、制御手段１０５が受け付けると（Ｓ１０１）、制御手段１０５は「加熱」モードに切り替わり、操作手段１０６の操作の受け付け方、及び表示手段１０７の表示を「加熱」モード用に切り替える（Ｓ１０２）。
【００４２】
その後、制御手段１０５はメニュースイッチ１０６ｂが押下されたか切／入スイッチ１０６ａが押下されたかの判定を行う（Ｓ１０３）。ユーザが切／入スイッチ１０６ａを押下し、制御手段１０６が受け付けると、「加熱」モードでの加熱を開始し（Ｓ１０４）、所定の手順で加熱を行った後、加熱を終了する（詳細は省略）。ユーザがメニュースイッチ１０６ｂを押下し、制御手段１０６が受け付けると、制御手段１０５は「揚げ物」モードに切り替わり、操作手段１０６の操作の受け付け方、及び表示手段１０７の表示を「揚げ物」モード用に切り替える（Ｓ１０５）。
【００４３】
なお、Ｓ１０３において、操作手段１０６及び表示手段１０７をカバー１０８で覆っていない場合には、ユーザはメニュースイッチ１０６ｂ及び切／入スイッチ１０６ａを押下可能であるが、カバー１０８で操作手段１０６及び表示手段１０７を覆った場合には、ユーザがメニュースイッチ１０６ｂを押下しても、メニュー切り替え機能が使用不可能となり、Ｓ１０３からＳ１０５に遷移することが不可能となる。
【００４４】
Ｓ１０５〜Ｓ１０７、Ｓ１０８〜Ｓ１１０、Ｓ１１１〜Ｓ１１３ではＳ１０２〜Ｓ１０４と同様に「揚げ物」モード、「湯沸し」モード、「炊飯」モードでの加熱及びモード切り替えを行っていく。
【００４５】
そしてＳ１１２でユーザがメニュースイッチ１０６ｂを押下し、制御手段１０６が受け付けると、Ｓ１０２に戻り、制御手段１０５は「加熱」モードに切り替わる。
【００４６】
なお、操作手段１０７は静電容量式のスイッチで構成しても同様の効果が得られる。
【００４７】
なお、カバー１０８の厚みを５ｍｍ以下とするよう構成してもよい。
【００４８】
簡易モードでは使用可能なスイッチとカバー１０８は隣接する為、カバー１０８の厚みが厚いと使用可能なスイッチが押下しづらくなるという課題があった。
【００４９】
しかしこの構成によって、カバー１０８で操作手段１０６を覆って、ユーザが使用可能なスイッチを押下する際、カバー１０８が邪魔にならず押下する事が可能となり、使い勝手が良くなるという効果が得られる。
【００５０】
なお、カバー１０８の裏面に滑り止め手段（図は省略）を備えるよう構成してもよい。
【００５１】
滑り止め手段は摩擦係数の高いゴム等を用いることで、この構成を容易に実現できる。
【００５２】
これによって、ユーザが簡易モードで誘導加熱調理器を操作している際に、手や鍋が当たるなどによってカバー１０８を誤って動かし、載置位置がずれることを防ぎ、使用者にとっても使い勝手が良くなるという効果が得られる。
【００５３】
なお、カバー１０８とトッププレート１０３の裏面にお互いに引き合うよう磁石（図は省略）を備えるよう構成してもよい。
【００５４】
これによって、ユーザが簡易モードで誘導加熱調理器を操作している際に、手や鍋が当たるなどによってカバー１０８を誤って動かし、載置位置がずれることを防ぎ、使用者にとっても使い勝手が良くなるという効果が得られる。
【００５５】
また、トッププレート１０３上に凸部を設けてもよい。トッププレート１０８をカバー１０８で覆う際に、カバー１０８は凸部によって、簡易モードに不要なスイッチを覆い隠す位置に位置決めされるようにしてもよい。
【００５６】
（実施の形態２）
図６は本発明の実施の形態２における誘導加熱調理器を概略的に示す構成図である。
【００５７】
本発明の実施の形態２における誘導加熱調理器は、実施の形態１における誘導加熱調理器に通常モードと簡易モードを切り替える切り替え手段２０１をさらに備えている。
【００５８】
なお、切り替える切り替え手段２０１にはタクトスイッチをでもよい。
【００５９】
また、制御手段１０５は、切り替え手段２０１によって簡易モードが選択されたときに、誘導加熱調理器が有するスイッチのうち、簡易モードで不要ないくつかのスイッチを使用できないように設定し、通常モードが選択されたときにすべてのスイッチを使用できるように設定する機能制限部を有する。スイッチを使用できなくするとは、スイッチが押下されても、そのスイッチに割り当てられた機能に関する動作を行わないようにすることである。
【００６０】
切り替え手段２０１により、通常モードと簡易モードを確実に切り替えることができる。しかしながら、カバー２０２で表示を覆わなければ、ユーザは簡易モードの際に不要なスイッチや表示手段を認識できず、使い勝手がわるい。
【００６１】
そこで、本実施の形態では、カバーにより簡易モードで不要なスイッチを覆い隠すことにより、誘導加熱調理器の機能の一部しか必要としない使用者にとっても使い勝手が良くなるという効果が得ている。
【００６２】
図７は本発明の実施の形態２における操作手段１０６と表示手段１０７の上面図である。
【００６３】
表示手段１０７は「加熱」「揚げ物」「湯沸し」「炊飯」の調理メニューのうち、どのモードに設定されているかを表示する第１のメニュー表示部１０７ｄと第２のメニュー表示部１０７ｅで構成されている。第１のメニュー表示部１０７ｄは「加熱」モードと「揚げ物」モードの表示を行い、第２のメニュー表示部１０７ｅは「湯沸し」モードと「炊飯」モードの表示を行う。他の手段については図２と同じなので詳細な説明は省く。
【００６４】
図８は本発明の実施の形態２におけるカバー２０２の上面図である。
【００６５】
カバー２０２は、簡易モードで使用可能な火力表示部１０７ｂ、第１のメニュー表示部１０７ｄ、切／入スイッチ１０６ａ、メニュースイッチ１０６ｂ、プラススイッチ１０６ｃ、マイナススイッチ１０６ｄに対応する部分を抜いて、表示手段表示部２０２ａ、操作手段表示部２０２ｂを設け、タイマースイッチ１０６ｅ、タイマー表示部１０７ｃ、第２のメニュー表示部１０７ｅに対応する部分を覆うように構成されている。
【００６６】
図９は本発明の実施の形態２におけるカバー２０２で覆っていない場合を示す図とカバー２０２で覆っている場合を示す図である。
【００６７】
操作手段１０６と表示手段１０７とをカバー２０２で覆うことにより、簡易モードで使用可能な操作手段１０６と表示手段１０７が、調理の開始及び終了の指示のための切／入スイッチ１０６ａと、加熱用の火力調節のためのプラススイッチ１０６ｃとマイナススイッチ１０６ｄと火力表示部１０７ｂと、「加熱」モードと「揚げ物」モードを切り替えるメニュースイッチ１０６ｂと第１のメニュー表示部１０７ｄであることをユーザに明確にし、簡易モードで不要な操作手段１０６と表示手段１０７が、「湯沸し」モードと「炊飯」モードの切り替えに係わる第１のメニュー表示部１０７ｅと、タイマー機能に係わるタイマースイッチ１０６ｅとタイマー表示部１０７ｃであることをユーザに明確にしている。
【００６８】
図１０は本発明の実施の形態２における誘導加熱調理器の動作を示すフローチャートである。Ｓ１０１からＳ１０７は図５と同様であり詳細な説明は省く。
【００６９】
Ｓ１０６でユーザがメニュースイッチ１０６ｂを押下し、制御手段１０６が受け付けると、現在通常モードか簡易モードかを判定する（Ｓ２０１）。通常モードであれば制御手段１０５は「揚げ物」モードに切り替わり（Ｓ１０８）、簡易モードであれば「加熱」モードに切り替わる（Ｓ１０２）。
【００７０】
Ｓ１０８からＳ１１３は図５と同様であり詳細な説明は省く。
【００７１】
以上のように、本実施の形態では、切り替え手段によって、確実に通常モードと簡易モードとを切り替えることができ、ユーザの誤操作を防止できる。また、カバーにより簡易モードで不要なスイッチを覆い隠すことにより、誘導加熱調理器の機能の一部しか必要としない使用者にとっても使い勝手が良くなるという効果が得られる。
【産業上の利用可能性】
【００７２】
本発明の誘導加熱調理器によれば、多くの機能を搭載する誘導加熱調理器において、それらの機能の一部しか必要としない使用者にとっても使い勝手がよくなるという効果を有し、一般家庭などで使用される誘導加熱調理器に有用である。
【図面の簡単な説明】
【００７３】
【図１】本発明の実施の形態１における誘導加熱調理器を概略的に示す構成図
【図２】本発明の実施の形態１における操作手段と表示手段の上面図
【図３】本発明の実施の形態１におけるカバーの上面図
【図４】本発明の実施の形態１におけるカバーで覆っていない場合を示す図とカバーで覆っている場合を示す図
【図５】本発明の実施の形態１における誘導加熱調理器の動作を示すフローチャート
【図６】本発明の実施の形態２における誘導加熱調理器を概略的に示す構成図
【図７】本発明の実施の形態２における操作手段と表示手段の上面図
【図８】本発明の実施の形態２におけるカバーの上面図
【図９】本発明の実施の形態２におけるカバーで覆っていない場合を示す図とカバーで覆っている場合を示す図
【図１０】本発明の実施の形態２における誘導加熱調理器の動作を示すフローチャート
【符号の説明】
【００７４】
１０１  調理容器
１０３  トッププレート
１０４  加熱コイル
１０５  制御手段
１０６  操作手段
１０６ａ  切／入スイッチ
１０６ｂ  メニュースイッチ
１０６ｃ  プラススイッチ
１０６ｄ  マイナススイッチ
１０６ｅ  タイマースイッチ
１０７  表示手段
１０８  カバー
２０１  切り替え手段
２０２  カバー
【図１】
2009231037.tif 000003
【図２】
2009231037.tif 000004
【図３】
2009231037.tif 000005
【図４】
2009231037.tif 000006
【図５】
2009231037.tif 000007
【図６】
2009231037.tif 000008
【図７】
2009231037.tif 000009
【図８】
2009231037.tif 000010
【図９】
2009231037.tif 000011
【図１０】
2009231037.tif 000012